(57)【要約】【課題】  低コストで小型化及び高効率化できる回転電機の回転子を提供する【解決手段】  固定子と回転子を有する回転電機において、前記回転子は、複数の磁極が形成されるコアと、各磁極に形成される複数の磁石挿入孔と、前記複数の磁石挿入孔を連結する連結空間と、前記複数の磁石挿入孔および前記連結空間によって仕切られた外周側コアと内周側コアを跨ぐように、かつ、磁極中心から偏倚した位置に形成された複数の補強部材挿入溝と、前記磁石挿入孔に挿入された永久磁石と、前記補強部材挿入溝に挿入された非磁性体からなる補強部材と、から構成されており、該補強部材は、前記外周側コアと前記内周側コアのそれぞれに嵌合する係止部を有しており、前記磁極の周方向両端に位置する補強部材の係止部は、前記磁極中心側へ突出する長さである幅ａと、前記永久磁石側へ突出する長さである幅ｂとの関係が、０≦ａ＜ｂ  である回転電機。【選択図】  図１
2018046590.tif 000002
【特許請求の範囲】
【請求項１】
固定子と回転子を有する回転電機において、
前記回転子は、
複数の磁極が形成されるコアと、
各磁極に形成される複数の磁石挿入孔と、
前記複数の磁石挿入孔を連結する連結空間と、
前記複数の磁石挿入孔および前記連結空間によって仕切られた外周側コアと内周側コアを跨ぐように、かつ、磁極中心から偏倚した位置に形成された複数の補強部材挿入溝と、
前記磁石挿入孔に挿入された永久磁石と、
前記補強部材挿入溝に挿入された非磁性体からなる補強部材と、
から構成されており、
該補強部材は、前記外周側コアと前記内周側コアのそれぞれに嵌合する係止部を有しており、
前記磁極の周方向両端に位置する補強部材の係止部は、前記磁極中心側へ突出する長さである幅ａと、前記永久磁石側へ突出する長さである幅ｂとの関係が、
０≦ａ＜ｂ
であることを特徴とする回転電機。
【請求項２】
請求項１に記載の回転電機において、
０≦ａ／ｂ＜０．５
であることを特徴とする回転電機。 
【請求項３】
請求項１または２に記載の回転電機において、
前記磁極の周方向両端に位置する前記補強部材は、
前記外周側コアに係止する係止部の前記幅ｂ先端の角部の曲率半径Ｒ１と、
前記内周側コアに係止する係止部の前記幅ｂ先端の角部の曲率半径Ｒ２と、
の関係が、Ｒ１＜Ｒ２
であることを特徴とする回転電機。
【請求項４】
請求項１または２に記載の回転電機において、
前記磁極の周方向両端に位置する前記補強部材は、
前記係止部の前記幅ｂ先端の角部の曲率半径Ｒ１と、
前記係止部の前記幅ｂ根元の角部の曲率半径Ｒ３と、
の関係が、Ｒ１＜Ｒ３
であることを特徴とする回転電機。
【請求項５】
請求項１または２に記載の回転電機において、
前記磁極の周方向両端に位置する前記補強部材は、
前記係止部の前記回転子径方向の幅ｔ１と、
前記補強部材の前記連結空間での幅ｔ２と、
の関係が、ｔ１＜ｔ２
であることを特徴とする回転電機。
【請求項６】
請求項１または２に記載の回転電機において、
さらに、前記コア、前記永久磁石、及び、前記補強部材を回転軸方向の両側から押さえつけるコアクランプを有しており、
少なくとも１つの前記補強部材と前記コアクランプとの間が電気的に絶縁されていることを特徴とする回転電機。
【請求項７】
請求項１または２に記載の回転電機において、
少なくとも１つの前記補強部材がその周囲と電気的に絶縁されていることを特徴とする回転電機。
【請求項８】
請求項１または２に記載の回転電機において、
前記連結空間の少なくとも１箇所に前記外周側コア及び前記内周側コアと一体成形されたセンターブリッジ部を有することを特徴とする回転電機。
【請求項９】
請求項８に記載の回転電機において、
前記センターブリッジ部は、前記複数の補強部材の間に形成されていることを特徴とする回転電機。
【請求項１０】
請求項８に記載の回転電機において、
前記磁極の周方向両端に位置する前記補強部材は、
前記係止部の前記幅ｂ先端の角部の曲率半径Ｒ１と、
前記係止部の前記幅ａ先端の角部の曲率半径Ｒ４と、
の関係が、Ｒ１＜Ｒ４
であることを特徴とする回転電機。
【請求項１１】
請求項１または２に記載の回転電機において、
前記外周側コアと前記内周側コアが分離していることを特徴とする回転電機。
【発明の詳細な説明】
【技術分野】
【０００１】
本発明は回転電機に関する
【背景技術】
【０００２】
従来、永久磁石を使用する回転電機の回転子において、永久磁石の漏洩磁束を低減する構造として、例えば特許文献１に示すように、磁束の漏洩経路となるブリッジ部の一部を非磁性体で構成して漏洩磁束を低減する構造があった。
【０００３】
また、非磁性体で発生する渦電流損失を低減する構成として、例えば特許文献２に示すように、非磁性金属の集合体を使用することで非磁性部材中の渦電流損失を低減する構造があった。
【先行技術文献】
【特許文献】
【０００４】
【特許文献１】特開平９―１６３６４８号公報
【特許文献２】ＷＯ２０１１／１３２２５０
【発明の概要】
【発明が解決しようとする課題】
【０００５】
一般に永久磁石を使用する回転電機は、永久磁石の残留磁束をトルク発生に活用することでコイルに流れる電流を低減し、小型化および高効率化できるようにしている。永久磁石を貫く磁力線にはコイルと鎖交するいわゆる電機子鎖交磁束があり、電機子鎖交磁束はトルク発生に寄与する磁束である一方で、永久磁石を貫く磁力線の中にはコイルと鎖交しない漏洩磁束があり、漏洩磁束はトルク発生に寄与しない。そのため、回転電機の小型化及び高効率化をするためには、この漏洩磁束を低減し、永久磁石の残留磁束を有効活用する構造が必要となる。
【０００６】
回転子に永久磁石を使用する場合、回転子の回転に伴う遠心力が永久磁石に働き、この永久磁石による遠心力荷重を機械的に支持するための構成が回転子に要求される。特に、永久磁石を回転子コアの中に埋め込んだいわゆる埋込磁石同期回転電機の場合、永久磁石の遠心力荷重を機械的に支持するためのブリッジ部を必要とする。ブリッジ部は一般には回転子コアと一体で構成されているため磁束が通りやすく、永久磁石を貫く磁力線の一部は、永久磁石とブリッジ部のみを短絡した漏洩磁束となる。ブリッジ部を通る漏洩磁束はブリッジ部の非透磁率が１に近づきブリッジ部が磁気飽和するまで発生するため、ブリッジを通る漏洩磁束を低減するには、ブリッジの幅を狭めて磁気飽和しやすくする必要がある。しかしながら、この場合、機械的支持をするための十分な強度得るのが難しいという問題があった。
【０００７】
特許文献１には、回転子コアの表面近くに回転方向に沿い、かつ軸方向に伸びる複数の装着穴に永久磁石を装着し、この永久磁石を挟んで外周側に形成した突極部と中心側に形成したヨーク部とを結合するダンパーバーを備えた構造が記載されている。これにより、高速回転のような永久磁石にはたらく遠心力が大きな場合でも、遠心力荷重をブリッジ部だけでなくダンパーバーでも支持できるため、ブリッジ部の断面を小さくすることができ、ブリッジ部を通る漏洩磁束を低減できる。また、ダンパーバーの材料として非磁性の良電導体を使用してもよいことが記載されている。これにより、ブリッジ部及びダンパーバーを通る漏洩磁束を低減できる。しかしながら、特許文献１に例示されている銅、アルミニウム、ステンレス鋼などの材料は、非磁性体であっても磁束が全く通らないわけではないため、非磁性体を通る磁束の脈動により渦電流が非磁性体中を流れる。これにより渦電流損失が発生し、回転電機の効率を低下させる問題があった。
【０００８】
特許文献２では、永久磁石が挿入される磁石孔を有する回転子コア内に非磁性金属の集合体を有する構造が記載されている。これにより、非磁性金属の集合体内で誘起される渦電流の大きさは、個々の非磁性金属の大きさにより制限されるため、バルク材を使用するよりも渦電流を小さくすることができ、渦電流損失を低減できる。しかしながら、特許文献２で提示されている非磁性金属の集合体は、小球の集合体、細線の集合体、積層薄板の集合体のいずれかであり、いずれの場合も、成形工程やケーシングの工程を必要とするため、加工・製作費のコスト増大が懸念される。
【０００９】
以上より、永久磁石を使用する回転電機の回転子における、永久磁石の漏洩磁束を低減するための課題に対して、従来技術として、非磁性体を用いてブリッジ部の断面を小さくして漏洩磁束を低減する構造が提案されているものの、非磁性部材内で発生する渦電流損を低コストで低減し、回転電機の小型化及び高効率化できる手段はなかった。
【００１０】
本発明は上記事情を鑑み、低コストで小型化及び高効率化できる回転電機を提供する。
【課題を解決するための手段】
【００１１】
上記の課題を解決するために本発明の回転電機は、固定子と回転子を有し、前記回転子は、複数の磁極が形成されるコアと、各磁極に形成される複数の磁石挿入孔と、前記複数の磁石挿入孔を連結する連結空間と、前記複数の磁石挿入孔および前記連結空間によって仕切られた外周側コアと内周側コアを跨ぐように、かつ、磁極中心から偏倚した位置に形成された複数の補強部材挿入溝と、前記磁石挿入孔に挿入された永久磁石と、前記補強部材挿入溝に挿入された非磁性体からなる補強部材と、から構成されており、該補強部材は、前記外周側コアと前記内周側コアのそれぞれに嵌合する係止部を有しており、前記磁極の周方向両端に位置する補強部材の係止部は、前記磁極中心側へ突出する長さである幅ａと、前記永久磁石側へ突出する長さである幅ｂとの関係が、０≦ａ＜ｂ  であるものとした。
【発明の効果】
【００１２】
本発明によれば、低コストで小型化及び高効率化できる回転電機を提供することができる。
【図面の簡単な説明】
【００１３】
【図１】実施例１の回転子を示す断面図
【図２】実施例１の回転子の一つの磁極を示す断面図
【図３】実施例１の補強部材を設けない場合の回転子の一つの磁極を示す断面図
【図４】実施例１の補強部材を設けた場合の回転子の一つの磁極を示す断面図
【図５】実施例１の効果を示すシミュレーション結果
【図６】実施例１の補強部材を設けた場合と設けない場合の磁力線を示す断面図
【図７】実施例２の回転子の一つの磁極の補強部材周辺を示す部分断面図
【図８】実施例３の回転子の一つの磁極の補強部材周辺を示す部分断面図
【図９】実施例４の回転子の一つの磁極の補強部材周辺を示す部分断面図
【図１０】実施例５の回転電機の断面図
【図１１】実施例６の回転子の一つの磁極を示す断面図
【図１２】実施例７の回転子の一つの磁極の補強部材周辺を示す部分断面図
【発明を実施するための形態】
【００１４】
以下、図面を用いて、本発明の実施例を説明する。
【実施例１】
【００１５】
図１から図６を用いて、本発明の実施例１の回転電機１を説明する。本実施例の回転電機１は、外周側に設けられた固定子１０と内周側に設けられた回転子２０から構成されている。図１は本実施例の回転子２０の回転軸に垂直な平面での断面図、図２は本実施例の回転子２０の一つの磁極を示す断面図である。なお、図１では固定子１０が外周側、回転子２０が内周側にある場合の回転子２０の断面図を示しているが、この限りではなく、回転子２０が外周側、固定子１０が内周側にある場合でも、本実施例の効果を得ることができる。
【００１６】
図１及び図２に示すように、回転子１０は、磁性体である回転子コア３０と、それを貫通するシャフト９０から構成されるともに、偶数個（図１では６個）の磁極を有している。各磁極は、磁石挿入孔４０と、その内部に収容された永久磁石５０から構成されており、さらに、磁石挿入孔４０と連結した連結空間を跨ぐように設けられた複数の補強部材挿入溝７０と、補強部材挿入溝７０の内部に収容された補強部材６０を有している。なお、本実施例では、補強部材挿入溝７０を磁極中心１００から偏倚した位置に設けており、図２では、二つの補強部材挿入溝７０を磁極中心１００の線対称に配置している。
【００１７】
磁性体である回転子コア３０に発生する渦電流損失を低減するために、回転子コア３０の材料としては電気的絶縁体でラミネーションされた積層鋼鈑を使用することが望ましいが、材料費や加工費を低減するためにソリッドの磁性体を使用してもよい。回転子コア３０はシャフト９０に、例えば、接着、溶接、圧入、焼き嵌め等の方法を用いて固定される。回転子コア３０をソリッドの磁性体で構成する場合は、回転子コア３０とシャフト９０を一体成型してもよい。
【００１８】
回転子２０の各磁極には少なくとも１つの磁石挿入孔４０が設けられており、磁石挿入孔４０には回転子２０の磁極を構成するための永久磁石５０が収容されている。永久磁石５０の材質には制約はなく、フェライト系、ネオジム系、サマリウムコバルト系などを例とする、いずれの材料を使用しても良い。各磁極は二つ以上の永久磁石５０により構成される。図２では一つの磁極を二つの永久磁石５０で構成しているが、三つ以上の永久磁石５０で磁極を構成してもよい。また、磁石配置は図２で例示したＶ字型に限定する必要はなく、例えば、Ｕ字型やスポーク型など、その他の磁石配置で磁極を構成する場合でも、本実施例の効果を得ることができる。
【００１９】
図１に示すように、本実施例の回転子コア３０は磁石挿入孔４０によって、回転子２０の内周面と磁石挿入孔４０に囲まれた略六芒星状断面の内周側コア３１と、回転子２０の外周面と磁石挿入孔４０に囲まれた略扇状断面の外周側コア３２に仕切られる。内周側コア３１と外周側コア３２は、図２に示すブリッジ部１５０を介して一体成形されていてもよく、またブリッジ部１５０を持たず、別部材として成形したものを組合せて、回転子コア３０を構成してもよい。
【００２０】
磁石挿入孔４０は、これと連結した連結空間に内周側コア３１と外周側コア３２のそれぞれの方向にせり出すように複数の補強部材挿入溝７０が設けられており、それぞれの補強部材挿入溝７０には非磁性材料の補強部材６０が収容されている。図２では一つの磁極に対して二つの補強部材６０を使用しているが、三つ以上の補強部材６０を使用しても、本実施例の効果を得ることができる。
【００２１】
補強部材６０は、内周側コア３１と外周側コア３２のそれぞれに嵌合する係止部８０を有した略エ字状断面の部材であり、この補強部材６０により内周側コア３１と外周側コア３２が機械的に接続される。補強部材６０に用いる非磁性材料としては、機械的強度が比較的大きな金属材料を使用することが望ましく、金属材料を使用することで回転電機１が高速回転したときでも補強部材６０が耐え得るように設計できる。なお、回転電機１が比較的低速回転で補強部材６０の強度がそれほど要求されない場合は、機械的強度が比較的小さい樹脂材料を使用してもよい。
【００２２】
図２に示すように、各磁極の周方向両端に位置する補強部材６０は、内周側コア３１と嵌合する係止部８０と、外周側コア３２と嵌合する係止部８０を持っており、各係止部８０は、磁極中心１００方向へ幅ａだけ突出し、その反対方向への幅ｂだけ突出している。そして、補強部材６０の回転子周方向幅最狭部の磁極中心１００側端部面８３と係止部８０の周方向磁極中心側端部面８１の間の幅ａと、補強部材６０の回転子周方向幅最狭部の永久磁石側端部面８４と係止部８０の周方向永久磁石側端部面８２の間の幅ｂの関係が、幅ａは幅ｂよりも小さくなるように構成されている。なお、本実施例の効果は、磁極中心１００側に係止部８０を有しない場合でも得られ、この場合の幅ａはａ＝０と定義する。
【００２３】
次に、係止部８０の端部の突出量を幅ａ＜幅ｂと定めた本実施例の作用について説明する。本実施例では、内周側コア３１と外周側コア３２を機械的に接続する構造に補強部材６０を使用している。これにより、回転子２０が回転した時の外周側コア３２に起因する遠心力荷重の少なくとも一部が補強部材６０に分担されるため、ブリッジ部１５０が担う応力を低減でき、ブリッジ部１５０の断面積を小さくできる。また、遠心力荷重が小さい場合は、全ての遠心力荷重を補強部材６０で支持できるため、ブリッジ部１５０を省略して、内周側コア３１と外周側コア３２を空間的に分離することもできる。
【００２４】
ブリッジ部１５０の断面積を小さくする、もしくはブリッジレスにすることで、ブリッジ部１５０を介して漏洩する磁束量を低減できる。さらに、補強部材６０は非磁性材料であるため、補強部材６０を介して漏洩する磁束は少ない。したがって、本構造により、回転子２０内での漏洩磁束を低減し、電機子鎖交磁束を増加させることができる。この効果により、回転電機１に使用する永久磁石５０の使用量を増やしたり、高コストな高残留磁束密度の永久磁石５０を使用したりせずに、トルク発生に必要な電流量を低減でき、加えて、誘導起電力と力率を高めることができる。電流量を低減することで、回転電機１の巻線１６０内に発生する銅損を低減でき、これにより回転電機１を高効率化できる。
【００２５】
さらに本実施例では、幅ａを幅ｂより短くすることで、低コストに補強部材６０内の渦電流損失を低減している。このことについて以下で詳しく述べる。
【００２６】
図５は、幅ａと幅ｂの比と、補強部材６０内の渦電流損失の関係を、固定子１０の形状、回転子２０の磁石挿入孔４０及び永久磁石５０の形状、回転数、トルクなどを同条件として磁場解析したシミュレーション結果である。図５の横軸は幅ａを幅ｂで割った値であり、ａ／ｂ＝１の補強部材６０を図３に、ａ／ｂ＝０の補強部材６０を図４に例示する。また、図５の縦軸は補強部材６０内の渦電流損失を示し、ａ／ｂ＝１での渦電流損失の値を１として正規化している。
【００２７】
図５のシミュレーション結果から明らかなように、幅ａを幅ｂより小さくすると、補強部材６０内の渦電流損失を低減でき、高効率化を実現できることがわかる。特にａ／ｂが０．５以下の場合に、補強部材６０内の渦電流損失低減効果が大きい。一方で、ａ／ｂを０に近づけても、渦電流損失の更なる改善が小さいことも分かる。
【００２８】
図６に図５のシミュレーションにおける補強部材６０周辺の磁力線および渦電流損失の描画結果を示す。図６左図はａ／ｂ＝１の補強部材６０（図３参照）、図６右図はａ／ｂ＝０の補強部材６０（図４参照）の渦電流損失をそれぞれ示し、補強部材６０中の白色部分は渦電流損失が大きい箇所を示している。図６左図では、係止部８０の周方向磁極中心側端部６１で特に渦電流損失が大きく、図６右図では、渦電流損失の大きな係止部８０の周方向磁極中心側端部６１を有しないため、渦電流損失が小さくなっている。
【００２９】
図６の渦電流損失の発生箇所の分析に基づくと、補強部材６０内の渦電流発生のメカニズムは以下のように考えられる。まず、永久磁石５０から出た磁束の一部が複数の補強部材６０間を通る。この際、非磁性体である補強部材６０の磁気抵抗は大きいため、多くの磁束は補強部材６０間の回転子コア３０内を通る。回転子コア３０内に多くの磁束が通ると、磁気飽和の影響により回転子コア３０の磁気抵抗が大きくなる。補強部材６０間の回転子コア３０の磁気抵抗が大きくなると、次に磁束が通りやすい経路として、補強部材６０の係止部８０の周方向磁極中心側端部６１内を磁束が通る経路が形成され、この磁束の時間変動により、補強部材６０内に渦電流が発生する。
【００３０】
したがって、補強部材６０内の渦電流損失を低減するためには、補強部材６０の係止部８０の幅ａは小さいことが望ましい。一方で、内周側コア３１と外周側コア３２を補強部材６０で機械的に接続し、所望の回転数における遠心力荷重に回転子２０が耐えうるためには、十分な機械的強度を得るために係止部８０の幅ａは大きいことが望ましい。このトレードオフを解消する構造として、本実施例では、図２に示したように、幅ａを幅ｂの１／２より短くするものの、幅ａとしてある程度の長さを確保した。すなわち、補強部材６０の係止部８０の周方向永久磁石側端部６２で、補強部材６０と内周側コア３１及び外周側コア３２との機械的な接続をさせ、遠心力荷重に対する回転子２０の機械的強度を担保する。補強部材６０の係止部８０の周方向磁極中心側端部６１は、渦電流損失が発生しやすいため小さく構成し、係止部８０としての機能は補助的なものとする。これにより、所望の回転数における遠心力荷重に対して十分な回転子２０の機械的強度を得ながら、補強部材６０内に発生する渦電流損失を低減できる。本実施例の補強部材６０はその断面形状に特徴を有するものであり、特許文献２の補強部材（同文献中では「非磁性金属集合体」）のように、渦電流損失を低減するための複合材にする必要はなく、非磁性のバルク材を使用できるため、加工費及び製作費は低コストに抑えることができる。
【００３１】
なお、補強部材６０が一つの磁極に三つ以上ある場合、磁極の周方向両端以外に位置している補強部材６０に関しては、補強部材６０内に発生する渦電流損失を低減するために、係止部８０は小さくし、補強部材６０としての機能は補助的なものにすることが望ましい。
【００３２】
以上で説明した本実施例の構成により、簡易、安価な構成の補強部材６０を用いても、補強部材６０内の渦電流損失を低減でき、回転電機１の高効率化が可能となる。また、本実施例では、回転電機１の体格を増大させることなく電機子鎖交磁束を増加する技術を提供しており、高効率な回転電機１をさらに小型化することができる。
【実施例２】
【００３３】
図７は実施例２の回転子２０の一つの磁極の補強部材周辺を示す部分断面図である。実施例１と重複する事項については説明を省略する。
【００３４】
実施例２では、実施例１のように幅ａを幅ｂより短くしたことに加えて、磁極の周方向両端に位置する補強部材６０の回転子２０外周側係止部８０の周方向永久磁石側端部６２の角部（外周側係止部の幅ｂ先端の角部）１１０ａ、１１０ｂの曲率半径Ｒ１と、磁極の周方向両端に位置する補強部材６０の回転子２０内周側係止部８０の周方向永久磁石側端部６２の角部（内周側係止部の幅ｂ先端の角部）１１１ａ、１１１ｂの曲率半径Ｒ２の関係を、曲率半径Ｒ１＜曲率半径Ｒ２としている。
【００３５】
回転子２０が回転した際の係止部８０にはたらく遠心力荷重は、回転子２０外周側の係止部８０には、外周側コア３２の遠心力荷重に相当する荷重のみがはたらくのに対して、回転子２０内周側の係止部８０には、外周側コア３２の遠心力荷重だけでなく補強部材６０及び永久磁石５０の遠心力荷重に相当する荷重が加わる。このため、外周側コア３２の係止部８０よりも、内周側コア３１の係止部の方がより大きな応力が発生する。
【００３６】
そこで、実施例２では、外周側の曲率半径Ｒ１より内周側の曲率半径Ｒ２を大きくすることで、内周側コア３１の係止部８０角部１１１ａ、１１１ｂにはたらく応力を低減できる。これにより、補強部材６０で支持できる遠心力荷重量が増加できるため、実施例１よりも、ブリッジ部１５０の断面積を減らす、またはブリッジレス化することができる。これにより、実施例１に比べても、更なる小型化、高効率化効果を得ることができる。
【実施例３】
【００３７】
図８は実施例３の回転子２０の一つの磁極の補強部材周辺を示す部分断面図である。他の実施例と重複する事項については説明を省略する。
【００３８】
実施例３では、実施例１のように幅ａを幅ｂより短くしたことに加えて、曲率半径Ｒ１と、磁極の周方向両端に位置する補強部材６０の回転子周方向幅最狭部の永久磁石側端部面８４と係止部８０の周方向永久磁石側端部６２の間に位置する角部（係止部の幅ｂ根元の角部）１１２ａ、１１２ｂの曲率半径Ｒ３の関係を、曲率半径Ｒ１＜曲率半径Ｒ３としている。
【００３９】
回転子２０が回転した際、補強部材６０には係止部８０を支点とした回転子２０径方向の引張力がはたらく。特に幅ａを幅ｂより短くしている場合、補強部材６０の幅ａ側の係止部８０としての機能は補助的であり、引張力は係止部８０の幅ｂ側の方が大きくなる。このため、磁極の周方向両端に位置する補強部材６０は、幅ｂ側の方が伸ばされ、幅ａ側よりも大きな応力が発生する。特に角部１１２ａ、１１２ｂには応力が集中するため、強度不十分となる恐れがある。
【００４０】
このため、実施例３では、曲率半径Ｒ１よりも曲率半径Ｒ３を大きくすることで、角部１１２ａ、１１２ｂにはたらく応力を低減できる。これにより、補強部材６０で支持できる遠心力荷重量が増加できるため、実施例１よりも、ブリッジ部１５０の断面積を減らす、またはブリッジレス化することができる。これにより、実施例１に比べても、更なる小型化、高効率化効果を得ることができる。
【実施例４】
【００４１】
図９は実施例４の回転子２０の一つの磁極の補強部材周辺を示す部分断面図である。他の実施例と重複する事項については説明を省略する。
【００４２】
実施例４では、実施例１のように幅ａを幅ｂより短くしたことに加えて、磁極の周方向両端の補強部材６０の係止部８０の周方向永久磁石側端部６２の径方向側厚さｔ１と、磁極の周方向両端の補強部材６０の回転子周方向幅最狭部の磁極中心１００側端部面８３と回転子周方向幅最狭部の永久磁石側端部面８４とに挟まれた補強部材６０の長手方向部分６３の厚さｔ２の関係を、厚さｔ１＜厚さｔ２としている。
【００４３】
回転子２０が回転した際、補強部材６０には係止部８０を支点とした回転子２０径方向の引張力がはたらく。特に幅ａを幅ｂより短くしている場合、補強部材６０の幅ａ側の係止部８０としての機能は補助的であり、引張力は係止部８０の幅ｂ側の方が大きくなる。このため、磁極の周方向両端に位置する補強部材６０は、幅ｂ側の方が伸ばされ、補強部材の長手方向部分６３には永久磁石５０側に凸になるような曲げ応力が発生する。したがって補強部材６０の長手方向部分６３には引張応力だけでなく曲げ応力が発生するため、強度不十分となる恐れがある。
【００４４】
このため、実施例４では、厚さｔ１よりも厚さｔ２を厚くすることで、補強部材６０の長手方向部分６３の径方向引張力に対する強度だけでなく、永久磁石５０側に凸になるような曲げモーメントに対する強度を増加させることができ、長手方向部分６３にはたらく応力を低減できる。これにより、補強部材６０で支持できる遠心力荷重量が増加できるため、実施例１よりも、ブリッジ部１５０の断面積を減らす、またはブリッジレス化することができる。これにより、実施例１に比べても、更なる小型化、高効率化効果を得ることができる。
【実施例５】
【００４５】
図１０は回転軸に平行な平面での実施例５の回転電機２０の断面図である。実施例１〜４と重複する事項については説明を省略する。
【００４６】
実施例５では、実施例１〜４のいずれかの構成に加えて、回転子コア３０と、永久磁石５０と、補強部材６０の三者を回転軸方向の両側から押さえつけるコアクランプ１４０を有しており、少なくとも一つの補強部材６０とコアクランプ１４０との間が電気的に絶縁されている。電気的な絶縁は、補強部材６０またはコアクランプ１４０を絶縁体でラミネーションしても、もしくはいずれかの部材に酸化被膜等の絶縁被膜を形成してもよいし、また、補強部材６０とコアクランプ１４０との間に絶縁部材１３０を挿入してもよい。なお、絶縁部材１３０は図１０に示すように、回転子コア３０全体を覆うような形状でなくても、補強部材６０の少なくとも一部と接して、補強部材６０とコアクランプ１４０を離間するような形状でもよい。さらには、以上に記載した方法以外でも、少なくとも一つの補強部材６０と、コアクランプ１４０との間を電気的に絶縁する方法であれば、本実施例の効果を得ることができる。
【００４７】
補強部材６０とコアクランプ１４０とが電気的に接続されている場合、補強部材６０またはコアクランプ１４０のいずれかの内部を通る漏洩磁束の磁束量が時間変化すると、補強部材６０とコアクランプ１４０全体を通る大きなループ経路で渦電流が流れるため、渦電流損失が増加する。これにより効率が低下する恐れがある。
【００４８】
このため実施例５では、少なくとも一つの補強部材６０と、コアクランプ１４０との間を電気的に絶縁している。これにより少なくとも絶縁された補強部材６０とコアクランプ１４０全体を通る渦電流のループ経路は形成されなくなり、渦電流損失を低減できる。さらに、全ての補強部材６０とコアクランプ１４０を電気的に絶縁することで、補強部材６０とコアクランプ１４０全体を通る渦電流のループ経路は形成されなくなり、渦電流損失を低減できる。また、補強部材６０とコアクランプ１４０間に絶縁部材１３０を挿入する場合、挿入する絶縁部材１３０は薄く作ることができるため、これによる大型化の恐れはない。したがって、本実施形態により、大きな小型化、高効率化効果を得ることができる。
【００４９】
また、特に補強部材６０は回転子コア３０と接触しており、補強部材６０と回転子コア３０を通る渦電流のループ経路ができ、このループ回路により渦電流損失が増大する可能性がある。このため、少なくとも一つの補強部材６０がその周囲に対して電気的に絶縁することで、補強部材６０とコアクランプ１４０を通る渦電流のループ経路が形成されなくなるだけでなく、補強部材６０と回転子コア３０を通る渦電流のループ経路も形成されなくなり、渦電流損失を大幅に低減できる。これにより、他の実施例に比べても、更なる小型化、高効率化効果を得ることができる。
【実施例６】
【００５０】
図１１は実施例６の回転子２０の一つの磁極を示す断面図である。実施例１〜５と重複する事項については説明を省略する。
【００５１】
実施例６では、実施例１〜５のいずれかの構成に加えて、補強部材６０間の少なくとも一箇所に内周側コア３１と外周側コア３２と一体成形されたセンターブリッジ部１２０を有している。
【００５２】
回転子２０が回転した際、補強部材６０と、係止部８０における内周側コア３１及び外周側コア３２に応力が発生し、高速回転においては材料の強度不足を招く恐れがある。このため、本実施例では、内周側コア３１と外周側コア３２と一体成形されたセンターブリッジ部１２０を有することで、センターブリッジ部１２０が遠心力荷重に対して回転子２０を支持する補強部材としてはたらき、高強度化できる。補強部材６０を有しない場合と比較して、センターブリッジ部１２０の径方向幅ｔ３は狭めることができるため、補強部材６０を使用することによる小型化、高効率化効果を得つつ、高強度化による高速回転対応が可能となる。
【００５３】
また、補強部材６０間に配置したセンターブリッジ部１２０に対して、遠心力荷重はその長手方向にはたらくため、センターブリッジ部１２０には曲げ応力がほとんど発生しない。このため、曲げ応力を低減させるための径方向幅ｔ３の増大はないため、径方向幅ｔ３は遠心力荷重による径方向の引張力に耐えうる幅であればよく、センターブリッジ部１２０を有さず、その他のブリッジ部１５０だけを有する場合と比べて磁束の漏洩量を小さくすることができる。例えば、幅ｔ３のセンターブリッジ部１２０と補強部材６０のみでの回転速度上限をＸとすると、センタ―ブリッジ部１２０を有さず、回転子２０の外周側で内周側コア３１と外周側コア３２とを接続する外周側ブリッジ部１５１ａ、１５１ｂと補強部材６０とで同様の回転速度上限Ｘまで回転させるためには、外周側ブリッジ部１５１ａ、１５１ｂの径方向幅ｔ４の合計２＊ｔ４は、幅ｔ３よりも厚くなる。
【００５４】
以上から、本実施例により、漏洩磁束低減による小型化、高効率化効果を得つつ、高強度化による高速回転対応が可能となる。
【００５５】
さらに、補強部材６０とセンターブリッジ部１２０の間に空間をつくることなく隣接させることで、外周側コア３２の体積を小さくすることができる。補強部材６０とセンターブリッジ部１２０が受ける遠心力荷重は、外径側コア３２と永久磁石５０及び自重によるため、外径側コア３２体積が小さくなることで、補強部材６０及びセンターブリッジ部１２０の受ける遠心力荷重は低減できる。これにより、センターブリッジ部１２０の幅ｔ３を狭めることができ、かつ、その他のブリッジ部１５０の断面積を減らす、またはブリッジレス化することができ、漏洩磁束を大幅に低減できる。これにより、漏洩磁束低減による大幅な小型化、高効率化効果を得つつ、高強度化による高速回転対応が可能となる。
【実施例７】
【００５６】
図１２は実施例７の回転子２０の一つの磁極の補強部材周辺を示す部分断面図である。実施例１〜６と重複する事項については説明を省略する。
【００５７】
実施例７では、実施例６の構成に加えて、曲率半径Ｒ１と、磁極の周方向両端に位置する補強部材６０の係止部８０の周方向磁極中心側端部６１の角部１１３ａ、１１３ｂの曲率半径Ｒ４の関係を、曲率半径Ｒ１＜曲率半径Ｒ４としている。なお、幅ａ＝０の場合は、図１２に示すように、角部１１３ａのみを有する。
【００５８】
回転子２０が回転した際に、センターブリッジ部１２０には曲げ応力はほとんど発生せず、引張応力だけが発生するが、角部１１３においては大きな応力が発生する。
【００５９】
実施例７では、曲率半径Ｒ１より曲率半径Ｒ４を大きくすることで、角部１１３にはたらく応力を低減できる。これにより、センターブリッジ部１２０で支持できる遠心力荷重量が増加できるため、実施例６よりも、センターブリッジ部１２０の幅ｔ３を低減し、かつ、その他のブリッジ部１５０の断面積を減らす、またはブリッジレス化することができる。これにより、高強度化による高速回転対応をしつつ、大きな小型化、高効率化効果を得ることができる。
【符号の説明】
【００６０】
１  回転電機、
１０  固定子、
２０  回転子、
３０  回転子コア、
３１  内周側コア、
３２  外周側コア、
４０  磁石挿入孔、
５０  永久磁石、
６０  補強部材、
７０  補強部材挿入溝、
８０  係止部、
９０  シャフト、
１００  磁極中心、
１２０  センターブリッジ部、
１３０  絶縁部材、
１４０  コアクランプ、
１５０  ブリッジ部、
【図１】
2018046590.tif 000003
【図２】
2018046590.tif 000004
【図３】
2018046590.tif 000005
【図４】
2018046590.tif 000006
【図５】
2018046590.tif 000007
【図６】
2018046590.tif 000008
【図７】
2018046590.tif 000009
【図８】
2018046590.tif 000010
【図９】
2018046590.tif 000011
【図１０】
2018046590.tif 000012
【図１１】
2018046590.tif 000013
【図１２】
2018046590.tif 000014